(57)【要約】ランプ（１）は、電気エネルギーを光に変換する気密なランプ容器（２）を有し、このランプ容器は、その外側に延在する２つの電流導体（３，６；４，７）を有する。このランプは更に外側管（９）を有し、その内部にはランプ容器（２）が、これと外側管（９）との間に空間を有して配置されている。外側管（９）は口金（１１）を有し、この口金には電流導体（６，７）が電気接続されている。このランプ（１）は更に、外側管（９）が破損した場合に、電流導体（６，７）を短絡させることによってこのランプをスイッチオフさせる手段（１７）を有する。
2004505414.tif 000002
【特許請求の範囲】
【請求項１】
電気エネルギーを光に変換する気密な内側管であって、この内側管が、その外側に延在する２つの電流導体を有する当該内側管と、
この内側管を囲んで設けられている外側管であって、この外側管と前記内側管との間に空間を有する当該外側管と、
この外側管に連結されている口金であって、前記内側管の前記電流導体が支持体によって支持されていると共にこの口金に導電的に接続されている当該口金と、
前記外側管に欠陥が生じた場合にランプをスイッチオフさせるように設計されている手段と
を有するランプにおいて、
前記手段は、前記外側管に欠陥が生じた際に前記電流導体を短絡させるように構成されていることを特徴とするランプ。
【請求項２】
請求項１に記載のランプであって、前記手段は、短絡が生じた場合に前記ランプ内のヒューズを動作させるようになっているランプ。
【請求項３】
請求項１又は２に記載のランプであって、前記手段は、少なくとも実質的に、前記外側管に破損が生じた際、アイドル状態から短絡状態になるスイッチをもって構成されているランプ。
【請求項４】
請求項３に記載のランプであって、前記スイッチは、少なくとも実質的に、前記アイドル状態で前記外側管の内面に対接し、且つ前記短絡状態で前記２つの電流導体を短絡させる弾性素子をもって構成されているランプ。
【請求項５】
請求項４に記載のランプであって、前記弾性素子は、前記アイドル状態にある際にすでに前記電流導体のうちの１本に電気接続されているランプ。
【請求項６】
請求項４又は５に記載のランプであって、前記弾性素子は、酸素結合蒸発ゲッタによってばね圧力の下で前記アイドル状態に保持され、この酸素結合剤蒸発ゲッタは、前記外側管が破損した際に前記ばね圧力を釈放させるようになっているランプ。
【請求項７】
請求項１〜６のいずれか一項に記載のランプであって、前記スイッチは、少なくとも実質的に、ランプに衝撃負荷がかかった際、アイドル状態から短絡状態になる弾性素子をもって構成され、このスイッチは、好ましくは、一方の電流導体に電気接続されている棒状素子と、他方の電流導体に電気接続されているリング状素子とを有し、前記アイドル状態で前記棒状素子が前記リング状素子のリング内にあり、前記棒状素子が横方向に移動することによって前記短絡状態でこの棒状素子が前記リングと電気接触し、これによって、前記２つの電流導体を短絡させるようになっているランプ。
【請求項８】
請求項１〜７のいずれか一項に記載のランプであって、このランプがタングステンハロゲン白熱ランプ形であるランプ。
【請求項９】
請求項１〜７のいずれか一項に記載のランプであって、このランプがガス放電ランプ形であるランプ。
【請求項１０】
電気エネルギーを光に変換する気密な内側管であって、この内側管が、その外側に延在する２つの電流導体を有する当該内側管と、
この内側管を囲んで設けられている外側管であって、この外側管と前記内側管との間に空間を有する当該外側管と、
この外側管に連結されている口金であって、前記内側管の前記電流導体が支持体によって支持されていると共にこの口金に導電的に接続されている当該口金と、
前記外側管に欠陥が生じた場合にランプをスイッチオフさせるように構成されている手段と
を用いるランプの製造方法において、
前記外側管に欠陥が生じた際に前記電流導体を短絡させるように前記手段を構成することを特徴とするランプの製造方法。
【発明の詳細な説明】
【０００１】
本発明は、電気エネルギーを光に変換する気密な内側管であって、この内側管が、その外側に延在する２つの電流導体を有する当該内側管と、この内側管を囲んで設けられている外側管であって、この外側管と前記内側管との間に空間を有する当該外側管と、この外側管に連結されている口金であって、前記内側管の前記電流導体が支持体によって支持されていると共にこの口金に導電的に接続されている当該口金と、前記外側管に欠陥が生じた場合にランプをスイッチオフさせるように設計されている手段とを有するランプに関するものである。
【０００２】
このようなランプは米国特許第４２２９６７８ 号明細書から既知であって、高圧水銀蒸気放電ランプである。この米国特許明細書では、特に高圧水銀蒸気放電ランプは、その外側管が破損した場合に点灯し続け、安全を害するおそれがあるという問題が指摘されている。このような場合、実際には、内側管内部での高温や高圧が内側管をも破損させ、高温の物質が雰囲気中へ放出されるという特別なおそれがある。従って、近くにいる人や物体に対して考えられるあらゆる欠点が生じるおそれがある。前記米国特許明細書では、既知のランプにスイッチを設け、外側管が不注意に破損されることがあれば、このスイッチによってこのランプをスイッチオフさせるようにする、上述した問題に対する解決策を提案している。このスイッチは外側管内部の先端に配置され、ランプの電気回路に直列に接続されている。このスイッチは導電素子を有し、この導電素子は通常の情況下では外側管の内面にばね圧力で対接し、外側管が破損した時、外側管の外側へとびだし、これにより、ランプの電気回路を切断させる。従って、外側管が破損した場合、既知のランプ内部の電気回路を切断させることによって、このランプをスイッチオフさせる。
【０００３】
前記米国特許明細書から既知であるランプには、このランプの外観が、このランプに用いられるスイッチによって損なわれ、更に、このスイッチは、内側管から外部へ放出する光に対して光学的な障害を形成するので、不所望な光学的妨害が存在するという欠点がある。この既知のランプの更なる欠点は、大量生産において、スイッチの装着が面倒でこの装着に多大な費用がかかり、これによって、このランプを経済上の観点から魅力のないものにするということである。
【０００４】
本発明の目的は、上述した従来技術の欠点を回避し、特に、外側管に欠陥（例えば破損）を生じた時に、いかなる不所望な光学的な障害をも生ぜずに、簡単簡潔で且つ経済的な方法でランプを消灯させるようにしたランプを提供することにある。
【０００５】
この目的のために、本発明によれば、頭書に述べた種類のランプにおいて、前記手段は、外側管に欠陥が生じた際に電流導体を短絡させるように構成されていることを特徴とする。この短絡によって、口金内に存在する１個又は数個のヒューズを動作させて、例えば、ヒューズを切断又は溶融させることによって、ランプを信頼的且つ安全にスイッチオフさせるようにするのが好ましい。
【０００６】
本発明によるランプの好適例では、前記手段が、少なくとも実質的に、外側管に破損が生じた際にアイドル状態から短絡状態になるスイッチをもって構成されているようにする。特に、前記スイッチは、少なくともほぼ、アイドル状態では外側管の内面に対接し、短絡状態では２つの電流導体を短絡させるようになっている弾性素子をもって構成されているようにする。好ましくは、弾性素子がアイドル状態ですでに電流導体のうちの１本と電気接続されているようにする。
【０００７】
本発明によるランプの他の好適例では、前記弾性素子は、酸素結合蒸発ゲッタによってばね圧力の下で前記アイドル状態に保持され、この酸素結合剤蒸発ゲッタは、前記外側管が破損した際に前記ばね圧力を釈放させるようになっている。この好適例には、外側管が破裂せずにこれに孔が空いた場合でも、弾性素子によってランプを消灯させるという追加の利点を有する。この孔は、このようなゲッタを用いないとランプが安全を害するということを意味する。このようなゲッタが用いられる場合、孔が空いても外側管を気密にする。
【０００８】
本発明によるランプの更なる他の好適例では、前記スイッチは、少なくとも実質的に、ランプに衝撃負荷がかかった際、アイドル状態から短絡状態になる弾性素子をもって構成され、このスイッチは、好ましくは、一方の電流導体に電気接続されている棒状素子と、他方の電流導体に電気接続されているリング状素子とを有し、前記アイドル状態で前記棒状素子が前記リング状素子のリング内にあり、前記棒状素子が横方向に移動することによって前記短絡状態でこの棒状素子が前記リングと電気接触し、これによって、前記２つの電流導体を短絡させるようになっている。これによって、電流導体が短絡されるか否かは、実際に外側管が破損したか、孔が空いたか、或いはひびが入ったかどうかに関係なく、ランプに及ぼされる力に依存するようになる。換言すれば、安全上の害をともなうランプに及ぼされるいかなる許容しえない力をも検知し、ランプをスイッチオフさせる。
【０００９】
この点で、本発明はランプの種類に関して限定されない、すなわち、本発明はいわゆるタングステンハロゲン白熱ランプやガス放電ランプで実施することができることに留意すべきである。前者は、例えば、充填ガスとして臭素と、塩素と、水素と、希ガス及び窒素の双方又はいずれか一方とを有するハロゲン白熱ランプであって、一方、後者は、例えば、高圧水銀蒸気放電ランプとすることができる。ハロゲン白熱ランプの場合、外側管を必ずしも気密とする必要はないが、ガス放電ランプの場合、外側管を気密にする必要があり、外側管が破損した時には、上述した安全上の害が双方の種類のランプに発生する。従って、上述したように、本発明は双方の種類のランプに適用しうるようにする。
【００１０】
本発明は、電気エネルギーを光に変換する気密な内側管であって、この内側管が、その外側に延在する２つの電流導体を有する当該内側管と、この内側管を囲んで設けられている外側管であって、この外側管と前記内側管との間に空間を有する当該外側管と、この外側管に連結されている口金であって、前記内側管の前記電流導体が支持体によって支持されていると共にこの口金に導電的に接続されている当該口金と、前記外側管に欠陥が生じた場合にランプをスイッチオフさせるように構成されている手段とを用いるランプの製造方法において、前記外側管に欠陥が生じた際に前記電流導体を短絡させるように前記手段を構成することを特徴とするランプの製造方法にも関するものである。
【００１１】
本発明を、図面を参照して更に詳細に説明する。
図１に、タングステンタイプのハロゲン白熱ランプ１を示し、このランプは、２本の電流導体３及び４を有する気密な内側管２を具え、これら電流導体の第１端部が内側管２内へ延在していると共にタングステンフィラメント５を支持し、第２端部が内側管２の外側に延在し、この外側でこれら第２端部がステム８の電流導体６及び７に電気接続されている。第２端部は、例えば、ステム８の電流導体６及び７に溶接されている。従って、ステム８は支持体として作用し、ランプ１内で内側管２を支持する。このランプは更に、半透明材料例えば半透明ガラスより成る外側管９を有し、この外側管は内側管２を囲んで配置され、この外側管９のネック部分１０がランプ１の口金１１に固着されている。口金１１には第１導電部分１２と第２導電部分１３とが設けられ、第１導電部分１２は、ランプ１の従来の金属シェルであってその外側にはねじ山部が設けられている当該金属シェルを形成し、第２導電部分１３はランプ１の従来の金属アイレットを形成している。２つの導電部分１２及び１３は、従来のガラス絶縁体１４により通常のようにして互いに分離され且つ電気的に絶縁されている。ステム８の電流導体６及び７はそれぞれ、その下側において（電流導体６に対して）金属アイレットと（電流導体７に対して）金属シェルとに導電的に接続されており、口金１１の領域内のこれらの接続電気回路内にヒューズ１５及び１６が直列に接続されている。ヨーロッパ標準規格によれば、ランプ１は通常、図示のように２つのヒューズを有するが、米国ではしばしば、ヒューズは１つだけであることに留意すべきである。
【００１２】
図１に示す第１の好適実施例では、弾性素子１７の形態をしているスイッチが一方の電流導体６に導電的に固定されている。（破線で示す）アイドル状態１８の弾性素子１７は外側管９の内面にばね圧力で対接している。外側管９を不注意に破損することがあれば、外側管９のガラス面の抗力が排除されることによって弾性素子１７が外側管から釈放され、外側管の外側にとびだして短絡状態１９にもたらされるようになる（図２参照）。この短絡状態１９では、弾性素子１７が他方の電流導体７と電気接触し、これにより短絡を生じさせる。この短絡はヒューズ１５及び１６のうちの少なくとも１つを動作させるので、ランプ１は、信頼的に且つ安全に消灯される。
【００１３】
第２の好適実施例を図３に示し、図１及び２における構成要素に対応する構成要素には同じ符号を付してある。この実施例では、スイッチは、電流導体６に電気接続されている弾性棒状素子２１と、電流導体７に電気接続されているリング状素子２２とを具えるいわゆるチルトスイッチの形態をしている。（破線で示す）アイドル状態１８の棒状素子２１はリング状素子２２のリング２３内に位置する。外側管９に衝撃負荷がかかった際、例えば、力によって破損が生じた結果、棒状素子２１は、弾性的に横方向に移動して短絡状態１９になり、これによって、棒状素子をリング２３と電気接触させ、２つの電流導体６及び７を短絡させる。この短絡が２つのヒューズ１５及び１６のうちの少なくとも１つを動作させるので、ランプ１が消灯される。チルトスイッチは実際に、弾性素子１７と組み合わせて用いることができる。
【００１４】
本発明は、図面に示す実施例に限定されず、本発明の範囲内の変形例をも含むものである。
【図面の簡単な説明】
【図１】本発明によるランプの第１の好適実施例を線図的に描いた部分的縦断面図である。
【図２】図１と同じであるが外側管が破損している場合のランプの部分的縦断面図である。
【図３】本発明によるランプの第２の好適実施例を線図的に描いた部分的縦断面図である。
【国際公開パンフレット】
2004505414.tif 000003
2004505414.tif 000004
2004505414.tif 000005
2004505414.tif 000006
2004505414.tif 000007
2004505414.tif 000008
2004505414.tif 000009
2004505414.tif 000010
2004505414.tif 000011
2004505414.tif 000012
2004505414.tif 000013
【国際調査報告】
2004505414.tif 000014
2004505414.tif 000015